(57)【要約】  電子機器の筐体外面に設けられたコネクタポート（１０）において、前記筐体に形成されコネクタ開口を有するコネクタ保持部（２３）と、前記コネクタ保持部にねじ止めされる取付部（３２）、該取付部に基端が回動自在に軸支持され前記コネクタ開口を開閉する平板状のカバー部（３３）及び該カバー部の先端に設けられ前記コネクタ保持部に弾性変形して係合する弾性変形部を有する開閉蓋（３０）と、を備え、前記コネクタ保持部は、前記筐体外面の凹部として形成され、前記開閉蓋を該凹部に収容して前記筐体外面と前記カバー部の外面とが略面一となっている。
2009119762.tif 000002
【特許請求の範囲】
【請求項１】
電子機器の筐体外面に設けられたコネクタポートにおいて、
前記筐体に形成されコネクタ開口を有するコネクタ保持部と、
前記コネクタ保持部にねじ止めされる取付部、該取付部に基端部が回動自在に軸支持され前記コネクタ開口を開閉する平板状のカバー部及び該カバー部の先端に設けられ前記コネクタ保持部に弾性変形して係合する弾性変形部を有する開閉蓋と、
を備えることを特徴とするコネクタポート。
【請求項２】
前記コネクタ保持部は、前記筐体外面の凹部として形成され、前記開閉蓋を該凹部に収容して前記筐体外面と前記カバー部の外面とが略面一となっていることを特徴とする請求項１に記載のコネクタポート。
【請求項３】
前記カバー部を９０°以上開いて該カバー部の外面が前記凹部の角部に当接するとき、該カバー部の後端部が前記取付部の後端部に当接することを特徴とする請求項２に記載のコネクタポート。
【請求項４】
前記凹部の両側部には、排液溝が形成されていることを特徴とする請求項２に記載のコネクタポート。
【請求項５】
前記弾性変形部は、前記カバー部の先端から略直角に屈曲して延びる基板部と、該基板部からＵターンするように屈曲して延び、前記コネクタ保持部に係合して圧縮曲げ変形する先板部と、を有するＵ字状板部となっていることを特徴とする請求項１に記載のコネクタポート。
【請求項６】
前記基板部の板厚は、前記先板部の板厚よりも厚く形成されていることを特徴とする請求項５に記載のコネクタポート。
【請求項７】
前記コネクタ保持部には、前記Ｕ字状板部が挿入される穴部が形成され、前記Ｕ字状板部が前記穴部に挿入されたときに、該穴部の側壁に前記Ｕ字状板部の基板部が当接することを特徴とする請求項５に記載のコネクタポート。
【請求項８】
前記先板部の先端には、略直角に屈曲して延びる摘み部が設けられていることを特徴とする請求項５に記載のコネクタポート。
【請求項９】
前記摘み部はエラストマーにより形成され、該摘み部が覆うコネクタ保持部には、底が湾曲した窪みが形成されていることを特徴とする請求項８に記載のコネクタポート。
【請求項１０】
前記先板部には前記コネクタ保持部に係合する突起が設けられていることを特徴とする請求項５に記載のコネクタポート。
【請求項１１】
前記開閉蓋の取付部は、皿ねじ用のテーパーねじ座及びねじ通し孔が形成された取付板と、該取付板の縁に設けられ前記カバー部の側部に圧接された支持部と、を有し、前記支持部の中央部から前記ねじ通し孔に至るスリットが形成されていることを特徴とする請求項１に記載のコネクタポート。
【請求項１２】
前記取付板におけるスリットの両側に、それぞれ、前記コネクタ保持部に形成された係合部に係合して前記取付板を位置決めするとともに前記取付板の拡幅量を規制する係止部を設けたことを特徴とする請求項１１に記載のコネクタポート。
【請求項１３】
前記カバー部の裏側には、前記コネクタ開口に差し込まれたコネクタを抜け止めする折りたたみ可能なコネクタ係止板が設けられていることを特徴とする請求項１に記載のコネクタポート。
【請求項１４】
前記コネクタ係止板は、剛性を有し、基端部がヒンジにより前記カバー部の裏側に取付けられ、先端部が、前記コネクタのコード付け根部を挟む二股部となっていることを特徴とする請求項１３に記載のコネクタポート。
【請求項１５】
前記コネクタ係止板は、エラストマーにより、前記カバー部の裏面に固着されるパッキンと一体成型され、前記コネクタを挿通させて前記コード付け根部を保持し前記コネクタを係止する係止孔が形成されていることを特徴とする請求項１３に記載のコネクタポート。
【請求項１６】
前記コネクタ係止板の係止孔の外周部に切欠き部が設けられていることを特徴とする請求項１５に記載のコネクタポート。
【発明の詳細な説明】
【技術分野】
【０００１】
本発明は、制御装置やタッチパネル式表示器等の電子機器に備えられたＵＳＢコネクタ等のコネクタの接続口となる液密構造のコネクタポートに関するものである。
【背景技術】
【０００２】
従来、電子機器装置の内部に設けられた電池収納室を開閉自在に保護するとともに、外部に対して上記電池収納室を水密状態に保持する電池蓋構造において、上記電池蓋は、上記電子機器装置に対して回動自在に軸支され、上記電池蓋の閉止位置にて、上記電池収納室を密封する密封手段と、上記密閉手段の外側に上記密閉手段にスライド自在に取り付けられ、上記閉止位置にて上記電池収納室を密閉すると共に、上記スライド移動によって上記電子機器装置の一部に係合するロック部を有する電池蓋体と、を備えている電池蓋構造がある（例えば、特許文献１参照）。【０００３】
【特許文献１】特開２００３−１４２８４１号公報
【発明の開示】
【発明が解決しようとする課題】
【０００４】
しかしながら、上記従来の技術によれば、電池蓋は、複数の部材から構成されていて、部材数が多く、また、スライド機構が複雑である、という問題があった。また、電子機器装置のコーナー部にしか取り付けることができず、平面部には取り付けることができない、という問題もあった。【０００５】
本発明は、上記に鑑みてなされたものであって、構造が簡素で液密性が高く、電子機器の筐体平面部に設置することができるコネクタポートを得ることを目的とする。
【課題を解決するための手段】
【０００６】
上述した課題を解決し、目的を達成するために、本発明は、電子機器の筐体外面に設けられたコネクタポートにおいて、前記筐体に形成されコネクタ開口を有するコネクタ保持部と、前記コネクタ保持部にねじ止めされる取付部、該取付部に基端部が回動自在に軸支持され前記コネクタ開口を開閉する平板状のカバー部及び該カバー部の先端に設けられ前記コネクタ保持部に弾性変形して係合する弾性変形部を有する開閉蓋と、を備えることを特徴とする。
【発明の効果】
【０００７】
本発明にかかるコネクタポートは、構造が簡素で液密性が高く、使い勝手がよい、という効果を奏する。
【図面の簡単な説明】
【０００８】
【図１】図１は、本発明にかかるコネクタポートが設けられた制御盤の表示器の一部を示す斜視図である。
【図２】図２は、本発明にかかるコネクタポートの実施の形態１を示す正面図である。
【図３】図３は、図２のＡ−Ａ線に沿う縦断面図である。
【図４】図４は、図２のＢ−Ｂ線に沿う横断面図である。
【図５】図５は、開閉蓋がいっぱいに開いた状態を示すコネクタポートの縦断面図である。
【図６】図６は、図５のＣ部拡大図である。
【図７】図７は、取付板の正面斜視図である。
【図８】図８は、取付板の裏面斜視図である。
【図９】図９は、開閉蓋をコネクタ保持部にねじ止めする状態を示す斜視図である。
【図１０】図１０は、実施の形態１の穴部及びＵ字状板部に対する比較例を示す縦断面図である。
【図１１】図１１は、本発明にかかるコネクタポートの実施の形態２の摘み部を示す縦断面図である。
【図１２】図１２は、本発明にかかるコネクタポートの実施の形態３のコネクタ係止板を示す斜視図である。
【図１３】図１３は、本発明にかかるコネクタポートの実施の形態４のコネクタ係止板を示す斜視図である。
【図１４】図１４は、本発明にかかるコネクタポートの実施の形態５のコネクタ係止板を示す斜視図である。
【符号の説明】
【０００９】
１０  コネクタポート
２０  表示器
２１  筐体
２２、２２ａ  コネクタ開口
２３  コネクタ保持部
２３ａ  角部
２３ｂ  排液溝
２３ｃ  穴部
２３ｄ  側壁
２３ｅ  凹部
２３ｆ  側壁
２３ｋ  係合部（穴）
２３ｍ  窪み
３０  開閉蓋
３１  皿ねじ
３２  取付部
３２ａ  支持部
３２ｂ  取付板
３２ｆ  テーパーねじ座
３２ｇ  ねじ通し孔
３２ｈ  スリット
３２ｊ  係止部（突起）
３３  カバー部
３３ａ  基端
３３ｂ  先端
３３ｃ  後端部
３３ｆ  側部フランジ
３４  弾性変形部（Ｕ字状板部）
３４ａ  基板部
３４ｂ  先板部
３４ｃ  摘み部
３４ｄ  突起
３５  環状パッキン（パッキン）
３７、３７Ｂ、３７Ｃ  コネクタ係止板
３７ｘ  二股部
３７ｙ  係止孔
３７ｚ  切欠き部
４０  コネクタ
４１  コード
４１ａ  付け根部
【発明を実施するための最良の形態】
【００１０】
以下に、本発明にかかるコネクタポートの実施の形態を図面に基づいて詳細に説明する。なお、この実施の形態によりこの発明が限定されるものではない。【００１１】
実施の形態１．
図１は、本発明にかかるコネクタポートが設けられた制御盤の表示器の一部を示す斜視図であり、図２は、本発明にかかるコネクタポートの実施の形態１を示す正面図であり、図３は、図２のＡ−Ａ線に沿う縦断面図であり、図４は、図２のＢ−Ｂ線に沿う横断面図であり、図５は、開閉蓋がいっぱいに開いた状態を示すコネクタポートの縦断面図であり、図６は、図５のＣ部拡大図であり、図７は、取付板３２の正面斜視図であり、図８は、取付板３２の裏面斜視図であり、図９は、開閉蓋３０をコネクタ保持部２３にねじ止めする状態を示す斜視図であり、図１０は、実施の形態１の穴部２３ｃ及びＵ字状板部３４に対する比較例を示す縦断面図である。【００１２】
図１に示すように、実施の形態１のコネクタポート１０は、電子機器としての制御盤のタッチパネル式表示器２０の筐体２１の外面に設けられている。本発明のコネクタポート１０は、表示器２０のみでなく、液密性を求められる様々な電子機器に用いることができる。【００１３】
図２〜図３に示すように、コネクタポート１０は、筐体２１に形成されコネクタ開口２２、２２ａを有するコネクタ保持部２３と、コネクタ保持部２３に取付けられ、コネクタ開口２２、２２ａを開閉する開閉蓋３０と、を備えている。【００１４】
開閉蓋３０は、皿ねじ３１によりコネクタ保持部２３にねじ止めされる取付部３２と、取付部３２に基端３３ａが回動自在に軸支持され、コネクタ開口２２、２２ａを開閉する長方形の平板状のカバー部３３と、カバー部３３の先端３３ｂに設けられコネクタ保持部２３に弾性変形して係合してカバー部３３にコネクタ開口２２、２２ａを密閉させる弾性変形部３４と、を有している。【００１５】
図３及び図９に示すように、カバー部３３の裏面には、カバー部３３とコネクタ保持部２３とに挟まれてコネクタ開口２２、２２ａを囲み、コネクタ開口２２、２２ａを液密に密閉するエラストマー製の環状パッキン３５が固着されている。【００１６】
環状パッキン３５は、長方形のエラストマー製平板の外周部に環状パッキンが形成された形状となっている。樹脂製のカバー部３３と環状パッキン３５とは、異型材同時成型により一体成型されている。環状パッキン３５を、コネクタ保持部２３に保持させるようにしてもよい。パッキン３５により、コネクタ開口２２、２２ａを液密に密閉することができる。【００１７】
図３及び図４に示すように、コネクタ保持部２３は、筐体２１外面の長方形の凹部として形成されている。コネクタ保持部２３は、開閉蓋３０を凹部に収容し、筐体２１外面とカバー部３３の外面とは、略面一となっている。それ故、表示器２０のタッチパネルを操作するときに、カバー部３３が邪魔になるようなことはない。【００１８】
図５及び図６に示すように、カバー部３３を９０°以上いっぱいに開いてカバー部３３の外面がコネクタ保持部２３（凹部）の角部２３ａに当接するとき、カバー部３３の後端部３３ｃが取付部３２の後端部に当接するようになっている。それ故、カバー部３３をそれ以上無理に開こうとする力が加わっても、後述の支持部３２ａに無理な力がかかることはなく、支持部３２ａの破損を防止することができる。【００１９】
図４に示すように、コネクタ保持部２３の凹部の両側部には、凹部の全長に亘る排液溝２３ｂが形成されている。排液溝２３ｂを設けることにより、工作機械等から飛散してカバー部３３の外周縁部から凹部に浸入した機械油等が、排液溝２３ｂを通って凹部外へ排出されるので、凹部内に油等が滞留せず、カバー部３３を開いたときにコネクタ内に油等が浸入することはない。【００２０】
図３及び図５に示すように、弾性変形部３４は、カバー部３３の先端３５から略直角に屈曲して延びる基板部３４ａと、基板部３４ａからＵターンするように屈曲して延び、コネクタ保持部２３に係合して圧縮曲げ変形する先板部３４ｂと、を有するＵ字状板部３４となっている。基板部３４ａの板厚は、先板部３４ｂの板厚よりも厚く形成されている。【００２１】
また、コネクタ保持部２３には、Ｕ字状板部３４が挿入される穴部２３ｃが形成され、Ｕ字状板部３４が穴部２３ｃに挿入されたときに、穴部２３ｃの側壁２３ｄにＵ字状板部３４の基板部３４ａが当接するように、穴部２３ｃが配置されている。【００２２】
図１０に、図３に示す実施の形態１の穴部２３ｃ及びＵ字状板部３４に対する比較例を示す。図１０に示すように、基板部３４ａの板厚と先板部３４ｂの板厚を同一とし、Ｕ字状板部３４が穴部２３ｃに挿入されたときに、穴部２３ｃの側壁２３ｄにＵ字状板部３４の基板部３４ａが当接しないように穴部２３ｃを配置すると、基板部３４ａがカバー部３３の基端３３ａ側へ湾曲変形する。基板部３４ａの湾曲変形により、カバー部３３に矢印Ｄ方向（カバー部３３が開く方向）の力が働き、パッキン３５が浮き上がり、コネクタ開口２２、２２ａを密閉することができない。【００２３】
実施の形態１では、上述のように、基板部３４ａの板厚が、先板部３４ｂの板厚よりも厚く形成され、また、Ｕ字状板部３４が穴部２３ｃに挿入されたときに、穴部２３ｃの側壁２３ｄにＵ字状板部３４の基板部３４ａが当接するようになっているので、パッキン３５が浮き上がることはなく、コネクタ開口２２、２２ａを密閉することができる。【００２４】
図３に示すように、先板部３４ｂの先端には、先板部３４ｂから略直角に屈曲して延びる摘み部３４ｃが設けられている。摘み部３４ｃの近傍のコネクタ保持部２３には、浅い凹部２３ｅが形成されている。また、先板部３４ｂの中間部には、穴部２３ｃの側壁２３ｆに形成された窪みに係合する突起３４ｄが設けられている。【００２５】
凹部２３ｅに指先を挿入して、摘み部３４ｃを摘み、先板部３４ｂを押圧して圧縮曲げ変形させると、突起３４ｄが窪みから抜ける。その状態から摘み部３４ｃを外側に引っ張り、Ｕ字状板部３４を穴部２３ｃから引き出せば、カバー部３３を開くことができ、図示しない雄型コネクタを図示しない雌型コネクタに差し込むことができる。【００２６】
図３〜図９に示すように、開閉蓋３０の取付部３２は、皿ねじ用のテーパーねじ座３２ｆ及びねじ通し孔３２ｇが形成された取付板３２ｂと、取付板３２ｂの縁に設けられた支持部３２ａと、を有している。また、支持部３２ａの中央部からねじ通し孔３２ｇに至るスリット３２ｈが形成されている。【００２７】
皿ねじ３１にテーパーねじ座３２ｆが締付けられると、取付板３２ｂが皿ねじ３１の楔作用で拡幅し、カバー部３３の側部フランジ３３ｆに圧接される。取付板３２ｂと側部フランジ３３ｆとの間に摩擦力が発生し、カバー部３３は、摩擦力により開かれた位置で保持される。それ故、一方の手で雄型コネクタを差し込むときに、他方の手でカバー部３３を開いた状態に保持する必要はない。【００２８】
図４、図８及び図９に示すように、スリット３２ｈの両側の取付板３２ｂに、コネクタ保持部２３に形成された係合部（穴）２３ｋに係合して取付板３２ｂをコネクタ保持部２３内で位置決めするとともに、取付板３２ｂの拡幅量を規制する係止部（直径が穴２３ｋの直径より小さい突起）３２ｊが設けられている。【００２９】
上記のように、皿ねじ３１にテーパーねじ座３２ｆが締付けられると、取付板３２ｂが皿ねじ３１の楔作用で拡幅し、カバー部３３の側部フランジ３３ｆに圧接されるが、このとき、突起３２ｊが穴２３ｋの側壁に当接して取付板３２ｂの拡幅量を規制する。【００３０】
実施の形態２．
図１１は、本発明にかかるコネクタポートの実施の形態２の摘み部を示す縦断面図である。実施の形態２のコネクタポート１０は、摘み部３４ｃのみが実施の形態１のコネクタポート１０と異なるので、摘み部３４ｃとその関連部分について説明し、他の部分の説明は省略する。【００３１】
図１１に示すように、先板部３４ｂの先端には、先板部３４ｂから略直角に屈曲して延びる実施の形態２の摘み部３４ｃが設けられている。実施の形態２の摘み部３４ｃは、エラストマー製であり、コネクタ保持部２３の浅い凹部２３ｅの長さと略同じ長さに形成されている。摘み部３４ｃに覆われる先板部３４ｂに近い部位の凹部２３ｅには、底が湾曲した窪み２３ｍが形成されている。【００３２】
窪み２３ｍ上の摘み部３４ｃを人差指で押圧すると、押圧された部分が凹み、先端が浮き上がる。浮き上がった摘み部の先端を人差指と親指で摘み、先板部３４ｂを押圧して圧縮曲げ変形させると、突起３４ｄが窪みから抜ける。その状態から摘み部３４ｃを外側に引っ張り、Ｕ字状板部３４を穴部２３ｃから引き出せば、カバー部３３を開くことができ、図示しない雄型コネクタを図示しない雌型コネクタに差し込むことができる。【００３３】
実施の形態２の摘み部３４ｃによれば、摘み部３４ｃが摘み易く、また、摘み部３４ｃにより凹部２３ｅが塞がれるので、凹部２３ｅに異物や油が滞留することがなく清潔であり、美観にも優れている。【００３４】
実施の形態３．
図１２は、本発明にかかるコネクタポートの実施の形態３のコネクタ係止板を示す斜視図である。実施の形態３のコネクタポート１０は、コネクタ係止板３７を設けている点のみが実施の形態１のコネクタポート１０と異なるので、コネクタ係止板３７とその関連部分について説明し、他の部分の説明は省略する。【００３５】
図１２に示すように、開閉蓋３０のカバー部３３の裏側には、コネクタ開口２２に差し込まれたコネクタ４０を抜け止めする剛性のあるコネクタ係止板３７が設けられている。コネクタ係止板３７の基端部は、カバー部３３の裏側に設けられたヒンジ３８に取付けられ、先端部は、コネクタ４０に接続するコード４１の付け根部４１ａを挟んでコネクタ４０を係止する二股部３７ｘとなっている。【００３６】
コネクタ係止板３７は、カバー部３３を閉じるときは、ヒンジ３８によりカバー部３３の裏側に折たたまれ、カバー部３３を開いてコネクタ４０を差し込んだときは、図１２に示すように、起こされて二股部３７ｘで付け根部４１ａを挟み込む。このとき、コネクタ係止板３７は、ヒンジ３８によりロックされ、コネクタ４０を抜け止めするようになっている。【００３７】
実施の形態４．
図１３は、本発明にかかるコネクタポートの実施の形態４のコネクタ係止板を示す斜視図である。図１３に示すように、コネクタ係止板３７Ｂは、エラストマーにより、カバー部３３の裏面に固着されるパッキン３５と一体成型され、コネクタ４０を挿通させてコード４１の付け根部４１ａを保持しコネクタ４０を係止する係止孔３７ｙが形成されている。【００３８】
コネクタ係止板３７Ｂは、カバー部３３を閉じるときは、容易に折り曲げられてカバー部３３の裏側に折たたまれ、カバー部３３を開いてコネクタ４０を差し込むときは、図１３に示すように、弾性により起き上がり、係止孔３７ｙを引き伸ばしてコネクタ４０を挿通させ、コード４１の付け根部４１ａを保持しコネクタ４０を係止する。【００３９】
実施の形態５．
図１４は、本発明にかかるコネクタポートの実施の形態５のコネクタ係止板を示す斜視図である。図１４に示すように、コネクタ係止板３７Ｃは、エラストマーにより、カバー部３３の裏面に固着されるパッキン３５と一体成型され、コード４１の付け根部４１ａを保持する係止孔３７ｙが形成されている。係止孔３７ｙの外周部には、切欠き部３７ｚが設けられている。切欠き部３７ｚは、係止孔３７ｙの下側に設けてもよいし、右側又は左側に設けてもよい。【００４０】
コネクタ係止板３７Ｃは、カバー部３３を閉じるときは、容易に折り曲げられてカバー部３３の裏側に折たたまれ、カバー部３３を開いてコネクタ４０が差し込まれたときは、図１４に示すように、弾性により起き上がり、切欠き部３７ｚから係止孔３７ｙを開いて、コード４１の付け根部４１ａを挟み込むようにして保持しコネクタ４０を係止する。
【産業上の利用可能性】
【００４１】
以上のように、本発明にかかるコネクタポートは、表示器に設けるコネクタポートとして有用である。
【図１】
2009119762.tif 000003
【図２】
2009119762.tif 000004
【図３】
2009119762.tif 000005
【図４】
2009119762.tif 000006
【図５】
2009119762.tif 000007
【図６】
2009119762.tif 000008
【図７】
2009119762.tif 000009
【図８】
2009119762.tif 000010
【図９】
2009119762.tif 000011
【図１０】
2009119762.tif 000012
【図１１】
2009119762.tif 000013
【図１２】
2009119762.tif 000014
【図１３】
2009119762.tif 000015
【図１４】
2009119762.tif 000016
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
電子機器の筐体外面に設けられたコネクタポートにおいて、
前記筐体に形成されコネクタ開口を有するコネクタ保持部と、
前記コネクタ保持部にねじ止めされる取付部、該取付部に基端部が回動自在に軸支持され前記コネクタ開口を開閉する平板状のカバー部及び該カバー部の先端に設けられ前記コネクタ保持部に弾性変形して係合する弾性変形部を有する開閉蓋と、
を備え、
前記弾性変形部は、前記カバー部の先端から略直角に屈曲して延びる基板部と、該基板部からＵターンするように屈曲して延び、前記コネクタ保持部に係合して圧縮曲げ変形する先板部と、を有するＵ字状板部となっていて、前記基板部の板厚は、前記先板部の板厚よりも厚く形成されていることを特徴とするコネクタポート。
【請求項２】
前記コネクタ保持部には、前記Ｕ字状板部が挿入される穴部が形成され、前記Ｕ字状板部が前記穴部に挿入されたときに、該穴部の側壁に前記Ｕ字状板部の基板部が当接することを特徴とする請求項１に記載のコネクタポート。
【請求項３】
前記先板部の先端には、略直角に屈曲して延びる摘み部が設けられていることを特徴とする請求項１に記載のコネクタポート。
【請求項４】
前記摘み部はエラストマーにより形成され、該摘み部が覆うコネクタ保持部には、底が湾曲した窪みが形成されていることを特徴とする請求項３に記載のコネクタポート。
【請求項５】
前記先板部には前記コネクタ保持部に係合する突起が設けられていることを特徴とする請求項１に記載のコネクタポート。
【請求項６】
電子機器の筐体外面に設けられたコネクタポートにおいて、
前記筐体に形成されコネクタ開口を有するコネクタ保持部と、
前記コネクタ保持部にねじ止めされる取付部、該取付部に基端部が回動自在に軸支持され前記コネクタ開口を開閉する平板状のカバー部及び該カバー部の先端に設けられ前記コネクタ保持部に弾性変形して係合する弾性変形部を有する開閉蓋と、
を備え、
前記開閉蓋の取付部は、皿ねじ用のテーパーねじ座及びねじ通し孔が形成された取付板と、該取付板の縁に設けられ前記カバー部の側部に圧接された支持部と、を有し、前記支持部の中央部から前記ねじ通し孔に至るスリットが形成されていることを特徴とするコネクタポート。
【請求項７】
前記取付板におけるスリットの両側に、それぞれ、前記コネクタ保持部に形成された係合部に係合して前記取付板を位置決めするとともに前記取付板の拡幅量を規制する係止部を設けたことを特徴とする請求項６に記載のコネクタポート。
【請求項８】
電子機器の筐体外面に設けられたコネクタポートにおいて、
前記筐体に形成されコネクタ開口を有するコネクタ保持部と、
前記コネクタ保持部にねじ止めされる取付部、該取付部に基端部が回動自在に軸支持され前記コネクタ開口を開閉する平板状のカバー部及び該カバー部の先端に設けられ前記コネクタ保持部に弾性変形して係合する弾性変形部を有する開閉蓋と、
を備え、
前記カバー部の裏側には、前記コネクタ開口に差し込まれたコネクタを抜け止めする折りたたみ可能なコネクタ係止板が設けられ、前記コネクタ係止板は、エラストマーにより、前記カバー部の裏面に固着されるパッキンと一体成型され、前記コネクタを挿通させて前記コード付け根部を保持し前記コネクタを係止する係止孔が形成されていることを特徴とするコネクタポート。
【請求項９】
前記コネクタ係止板の係止孔の外周部に切欠き部が設けられていることを特徴とする請求項８に記載のコネクタポート。
【請求項１０】
前記コネクタ保持部は、前記筐体外面の凹部として形成され、前記開閉蓋を該凹部に収容して前記筐体外面と前記カバー部の外面とが略面一となっていることを特徴とする請求項１、６又は８に記載のコネクタポート。
【請求項１１】
前記カバー部を９０°以上開いて該カバー部の外面が前記凹部の角部に当接するとき、該カバー部の後端部が前記取付部の後端部に当接することを特徴とする請求項１０に記載のコネクタポート。
【請求項１２】
前記凹部の両側部には、排液溝が形成されていることを特徴とする請求項１０に記載のコネクタポート。
【手続補正２】
【補正対象書類名】明細書
【補正対象項目名】全文
【補正方法】変更
【補正の内容】
【発明の詳細な説明】
【技術分野】
【０００１】
本発明は、制御装置やタッチパネル式表示器等の電子機器に備えられたＵＳＢコネクタ等のコネクタの接続口となる液密構造のコネクタポートに関するものである。
【背景技術】
【０００２】
従来、電子機器装置の内部に設けられた電池収納室を開閉自在に保護するとともに、外部に対して上記電池収納室を水密状態に保持する電池蓋構造において、上記電池蓋は、上記電子機器装置に対して回動自在に軸支され、上記電池蓋の閉止位置にて、上記電池収納室を密封する密封手段と、上記密閉手段の外側に上記密閉手段にスライド自在に取り付けられ、上記閉止位置にて上記電池収納室を密閉すると共に、上記スライド移動によって上記電子機器装置の一部に係合するロック部を有する電池蓋体と、を備えている電池蓋構造がある（例えば、特許文献１参照）。
【先行技術文献】
【特許文献】
【０００３】
【特許文献１】特開２００３−１４２８４１号公報
【発明の概要】
【発明が解決しようとする課題】
【０００４】
しかしながら、上記従来の技術によれば、電池蓋は、複数の部材から構成されていて、部材数が多く、また、スライド機構が複雑である、という問題があった。また、電子機器装置のコーナー部にしか取り付けることができず、平面部には取り付けることができない、という問題もあった。
【０００５】
本発明は、上記に鑑みてなされたものであって、構造が簡素で液密性が高く、電子機器の筐体平面部に設置することができるコネクタポートを得ることを目的とする。
【課題を解決するための手段】
【０００６】
上述した課題を解決し、目的を達成するために、本発明は、電子機器の筐体外面に設けられたコネクタポートにおいて、前記筐体に形成されコネクタ開口を有するコネクタ保持部と、前記コネクタ保持部にねじ止めされる取付部、該取付部に基端部が回動自在に軸支持され前記コネクタ開口を開閉する平板状のカバー部及び該カバー部の先端に設けられ前記コネクタ保持部に弾性変形して係合する弾性変形部を有する開閉蓋と、を備え、前記弾性変形部は、前記カバー部の先端から略直角に屈曲して延びる基板部と、該基板部からＵターンするように屈曲して延び、前記コネクタ保持部に係合して圧縮曲げ変形する先板部と、を有するＵ字状板部となっていて、前記基板部の板厚は、前記先板部の板厚よりも厚く形成されていることを特徴とする。
【発明の効果】
【０００７】
本発明にかかるコネクタポートは、構造が簡素で液密性が高く、使い勝手がよい、という効果を奏する。
【図面の簡単な説明】
【０００８】
【図１】図１は、本発明にかかるコネクタポートが設けられた制御盤の表示器の一部を示す斜視図である。
【図２】図２は、本発明にかかるコネクタポートの実施の形態１を示す正面図である。
【図３】図３は、図２のＡ−Ａ線に沿う縦断面図である。
【図４】図４は、図２のＢ−Ｂ線に沿う横断面図である。
【図５】図５は、開閉蓋がいっぱいに開いた状態を示すコネクタポートの縦断面図である。
【図６】図６は、図５のＣ部拡大図である。
【図７】図７は、取付板の正面斜視図である。
【図８】図８は、取付板の裏面斜視図である。
【図９】図９は、開閉蓋をコネクタ保持部にねじ止めする状態を示す斜視図である。
【図１０】図１０は、実施の形態１の穴部及びＵ字状板部に対する比較例を示す縦断面図である。
【図１１】図１１は、本発明にかかるコネクタポートの実施の形態２の摘み部を示す縦断面図である。
【図１２】図１２は、本発明にかかるコネクタポートの実施の形態３のコネクタ係止板を示す斜視図である。
【図１３】図１３は、本発明にかかるコネクタポートの実施の形態４のコネクタ係止板を示す斜視図である。
【図１４】図１４は、本発明にかかるコネクタポートの実施の形態５のコネクタ係止板を示す斜視図である。
【発明を実施するための形態】
【０００９】
以下に、本発明にかかるコネクタポートの実施の形態を図面に基づいて詳細に説明する。なお、この実施の形態によりこの発明が限定されるものではない。
【００１０】
実施の形態１．
図１は、本発明にかかるコネクタポートが設けられた制御盤の表示器の一部を示す斜視図であり、図２は、本発明にかかるコネクタポートの実施の形態１を示す正面図であり、図３は、図２のＡ−Ａ線に沿う縦断面図であり、図４は、図２のＢ−Ｂ線に沿う横断面図であり、図５は、開閉蓋がいっぱいに開いた状態を示すコネクタポートの縦断面図であり、図６は、図５のＣ部拡大図であり、図７は、取付板３２の正面斜視図であり、図８は、取付板３２の裏面斜視図であり、図９は、開閉蓋３０をコネクタ保持部２３にねじ止めする状態を示す斜視図であり、図１０は、実施の形態１の穴部２３ｃ及びＵ字状板部３４に対する比較例を示す縦断面図である。
【００１１】
図１に示すように、実施の形態１のコネクタポート１０は、電子機器としての制御盤のタッチパネル式表示器２０の筐体２１の外面に設けられている。本発明のコネクタポート１０は、表示器２０のみでなく、液密性を求められる様々な電子機器に用いることができる。
【００１２】
図２〜図３に示すように、コネクタポート１０は、筐体２１に形成されコネクタ開口２２、２２ａを有するコネクタ保持部２３と、コネクタ保持部２３に取付けられ、コネクタ開口２２、２２ａを開閉する開閉蓋３０と、を備えている。
【００１３】
開閉蓋３０は、皿ねじ３１によりコネクタ保持部２３にねじ止めされる取付部３２と、取付部３２に基端３３ａが回動自在に軸支持され、コネクタ開口２２、２２ａを開閉する長方形の平板状のカバー部３３と、カバー部３３の先端３３ｂに設けられコネクタ保持部２３に弾性変形して係合してカバー部３３にコネクタ開口２２、２２ａを密閉させる弾性変形部３４と、を有している。
【００１４】
図３及び図９に示すように、カバー部３３の裏面には、カバー部３３とコネクタ保持部２３とに挟まれてコネクタ開口２２、２２ａを囲み、コネクタ開口２２、２２ａを液密に密閉するエラストマー製の環状パッキン３５が固着されている。
【００１５】
環状パッキン３５は、長方形のエラストマー製平板の外周部に環状パッキンが形成された形状となっている。樹脂製のカバー部３３と環状パッキン３５とは、異型材同時成型により一体成型されている。環状パッキン３５を、コネクタ保持部２３に保持させるようにしてもよい。パッキン３５により、コネクタ開口２２、２２ａを液密に密閉することができる。
【００１６】
図３及び図４に示すように、コネクタ保持部２３は、筐体２１外面の長方形の凹部として形成されている。コネクタ保持部２３は、開閉蓋３０を凹部に収容し、筐体２１外面とカバー部３３の外面とは、略面一となっている。それ故、表示器２０のタッチパネルを操作するときに、カバー部３３が邪魔になるようなことはない。
【００１７】
図５及び図６に示すように、カバー部３３を９０°以上いっぱいに開いてカバー部３３の外面がコネクタ保持部２３（凹部）の角部２３ａに当接するとき、カバー部３３の後端部３３ｃが取付部３２の後端部に当接するようになっている。それ故、カバー部３３をそれ以上無理に開こうとする力が加わっても、後述の支持部３２ａに無理な力がかかることはなく、支持部３２ａの破損を防止することができる。
【００１８】
図４に示すように、コネクタ保持部２３の凹部の両側部には、凹部の全長に亘る排液溝２３ｂが形成されている。排液溝２３ｂを設けることにより、工作機械等から飛散してカバー部３３の外周縁部から凹部に浸入した機械油等が、排液溝２３ｂを通って凹部外へ排出されるので、凹部内に油等が滞留せず、カバー部３３を開いたときにコネクタ内に油等が浸入することはない。
【００１９】
図３及び図５に示すように、弾性変形部３４は、カバー部３３の先端３５から略直角に屈曲して延びる基板部３４ａと、基板部３４ａからＵターンするように屈曲して延び、コネクタ保持部２３に係合して圧縮曲げ変形する先板部３４ｂと、を有するＵ字状板部３４となっている。基板部３４ａの板厚は、先板部３４ｂの板厚よりも厚く形成されている。
【００２０】
また、コネクタ保持部２３には、Ｕ字状板部３４が挿入される穴部２３ｃが形成され、Ｕ字状板部３４が穴部２３ｃに挿入されたときに、穴部２３ｃの側壁２３ｄにＵ字状板部３４の基板部３４ａが当接するように、穴部２３ｃが配置されている。
【００２１】
図１０に、図３に示す実施の形態１の穴部２３ｃ及びＵ字状板部３４に対する比較例を示す。図１０に示すように、基板部３４ａの板厚と先板部３４ｂの板厚を同一とし、Ｕ字状板部３４が穴部２３ｃに挿入されたときに、穴部２３ｃの側壁２３ｄにＵ字状板部３４の基板部３４ａが当接しないように穴部２３ｃを配置すると、基板部３４ａがカバー部３３の基端３３ａ側へ湾曲変形する。基板部３４ａの湾曲変形により、カバー部３３に矢印Ｄ方向（カバー部３３が開く方向）の力が働き、パッキン３５が浮き上がり、コネクタ開口２２、２２ａを密閉することができない。
【００２２】
実施の形態１では、上述のように、基板部３４ａの板厚が、先板部３４ｂの板厚よりも厚く形成され、また、Ｕ字状板部３４が穴部２３ｃに挿入されたときに、穴部２３ｃの側壁２３ｄにＵ字状板部３４の基板部３４ａが当接するようになっているので、パッキン３５が浮き上がることはなく、コネクタ開口２２、２２ａを密閉することができる。
【００２３】
図３に示すように、先板部３４ｂの先端には、先板部３４ｂから略直角に屈曲して延びる摘み部３４ｃが設けられている。摘み部３４ｃの近傍のコネクタ保持部２３には、浅い凹部２３ｅが形成されている。また、先板部３４ｂの中間部には、穴部２３ｃの側壁２３ｆに形成された窪みに係合する突起３４ｄが設けられている。
【００２４】
凹部２３ｅに指先を挿入して、摘み部３４ｃを摘み、先板部３４ｂを押圧して圧縮曲げ変形させると、突起３４ｄが窪みから抜ける。その状態から摘み部３４ｃを外側に引っ張り、Ｕ字状板部３４を穴部２３ｃから引き出せば、カバー部３３を開くことができ、図示しない雄型コネクタを図示しない雌型コネクタに差し込むことができる。
【００２５】
図３〜図９に示すように、開閉蓋３０の取付部３２は、皿ねじ用のテーパーねじ座３２ｆ及びねじ通し孔３２ｇが形成された取付板３２ｂと、取付板３２ｂの縁に設けられた支持部３２ａと、を有している。また、支持部３２ａの中央部からねじ通し孔３２ｇに至るスリット３２ｈが形成されている。
【００２６】
皿ねじ３１にテーパーねじ座３２ｆが締付けられると、取付板３２ｂが皿ねじ３１の楔作用で拡幅し、カバー部３３の側部フランジ３３ｆに圧接される。取付板３２ｂと側部フランジ３３ｆとの間に摩擦力が発生し、カバー部３３は、摩擦力により開かれた位置で保持される。それ故、一方の手で雄型コネクタを差し込むときに、他方の手でカバー部３３を開いた状態に保持する必要はない。
【００２７】
図４、図８及び図９に示すように、スリット３２ｈの両側の取付板３２ｂに、コネクタ保持部２３に形成された係合部（穴）２３ｋに係合して取付板３２ｂをコネクタ保持部２３内で位置決めするとともに、取付板３２ｂの拡幅量を規制する係止部（直径が穴２３ｋの直径より小さい突起）３２ｊが設けられている。
【００２８】
上記のように、皿ねじ３１にテーパーねじ座３２ｆが締付けられると、取付板３２ｂが皿ねじ３１の楔作用で拡幅し、カバー部３３の側部フランジ３３ｆに圧接されるが、このとき、突起３２ｊが穴２３ｋの側壁に当接して取付板３２ｂの拡幅量を規制する。
【００２９】
実施の形態２．
図１１は、本発明にかかるコネクタポートの実施の形態２の摘み部を示す縦断面図である。実施の形態２のコネクタポート１０は、摘み部３４ｃのみが実施の形態１のコネクタポート１０と異なるので、摘み部３４ｃとその関連部分について説明し、他の部分の説明は省略する。
【００３０】
図１１に示すように、先板部３４ｂの先端には、先板部３４ｂから略直角に屈曲して延びる実施の形態２の摘み部３４ｃが設けられている。実施の形態２の摘み部３４ｃは、エラストマー製であり、コネクタ保持部２３の浅い凹部２３ｅの長さと略同じ長さに形成されている。摘み部３４ｃに覆われる先板部３４ｂに近い部位の凹部２３ｅには、底が湾曲した窪み２３ｍが形成されている。
【００３１】
窪み２３ｍ上の摘み部３４ｃを人差指で押圧すると、押圧された部分が凹み、先端が浮き上がる。浮き上がった摘み部の先端を人差指と親指で摘み、先板部３４ｂを押圧して圧縮曲げ変形させると、突起３４ｄが窪みから抜ける。その状態から摘み部３４ｃを外側に引っ張り、Ｕ字状板部３４を穴部２３ｃから引き出せば、カバー部３３を開くことができ、図示しない雄型コネクタを図示しない雌型コネクタに差し込むことができる。
【００３２】
実施の形態２の摘み部３４ｃによれば、摘み部３４ｃが摘み易く、また、摘み部３４ｃにより凹部２３ｅが塞がれるので、凹部２３ｅに異物や油が滞留することがなく清潔であり、美観にも優れている。
【００３３】
実施の形態３．
図１２は、本発明にかかるコネクタポートの実施の形態３のコネクタ係止板を示す斜視図である。実施の形態３のコネクタポート１０は、コネクタ係止板３７を設けている点のみが実施の形態１のコネクタポート１０と異なるので、コネクタ係止板３７とその関連部分について説明し、他の部分の説明は省略する。
【００３４】
図１２に示すように、開閉蓋３０のカバー部３３の裏側には、コネクタ開口２２に差し込まれたコネクタ４０を抜け止めする剛性のあるコネクタ係止板３７が設けられている。コネクタ係止板３７の基端部は、カバー部３３の裏側に設けられたヒンジ３８に取付けられ、先端部は、コネクタ４０に接続するコード４１の付け根部４１ａを挟んでコネクタ４０を係止する二股部３７ｘとなっている。
【００３５】
コネクタ係止板３７は、カバー部３３を閉じるときは、ヒンジ３８によりカバー部３３の裏側に折たたまれ、カバー部３３を開いてコネクタ４０を差し込んだときは、図１２に示すように、起こされて二股部３７ｘで付け根部４１ａを挟み込む。このとき、コネクタ係止板３７は、ヒンジ３８によりロックされ、コネクタ４０を抜け止めするようになっている。
【００３６】
実施の形態４．
図１３は、本発明にかかるコネクタポートの実施の形態４のコネクタ係止板を示す斜視図である。図１３に示すように、コネクタ係止板３７Ｂは、エラストマーにより、カバー部３３の裏面に固着されるパッキン３５と一体成型され、コネクタ４０を挿通させてコード４１の付け根部４１ａを保持しコネクタ４０を係止する係止孔３７ｙが形成されている。
【００３７】
コネクタ係止板３７Ｂは、カバー部３３を閉じるときは、容易に折り曲げられてカバー部３３の裏側に折たたまれ、カバー部３３を開いてコネクタ４０を差し込むときは、図１３に示すように、弾性により起き上がり、係止孔３７ｙを引き伸ばしてコネクタ４０を挿通させ、コード４１の付け根部４１ａを保持しコネクタ４０を係止する。
【００３８】
実施の形態５．
図１４は、本発明にかかるコネクタポートの実施の形態５のコネクタ係止板を示す斜視図である。図１４に示すように、コネクタ係止板３７Ｃは、エラストマーにより、カバー部３３の裏面に固着されるパッキン３５と一体成型され、コード４１の付け根部４１ａを保持する係止孔３７ｙが形成されている。係止孔３７ｙの外周部には、切欠き部３７ｚが設けられている。切欠き部３７ｚは、係止孔３７ｙの下側に設けてもよいし、右側又は左側に設けてもよい。
【００３９】
コネクタ係止板３７Ｃは、カバー部３３を閉じるときは、容易に折り曲げられてカバー部３３の裏側に折たたまれ、カバー部３３を開いてコネクタ４０が差し込まれたときは、図１４に示すように、弾性により起き上がり、切欠き部３７ｚから係止孔３７ｙを開いて、コード４１の付け根部４１ａを挟み込むようにして保持しコネクタ４０を係止する。
【産業上の利用可能性】
【００４０】
以上のように、本発明にかかるコネクタポートは、表示器に設けるコネクタポートとして有用である。
【符号の説明】
【００４１】
１０  コネクタポート
２０  表示器
２１  筐体
２２、２２ａ  コネクタ開口
２３  コネクタ保持部
２３ａ  角部
２３ｂ  排液溝
２３ｃ  穴部
２３ｄ  側壁
２３ｅ  凹部
２３ｆ  側壁
２３ｋ  係合部（穴）
２３ｍ  窪み
３０  開閉蓋
３１  皿ねじ
３２  取付部
３２ａ  支持部
３２ｂ  取付板
３２ｆ  テーパーねじ座
３２ｇ  ねじ通し孔
３２ｈ  スリット
３２ｊ  係止部（突起）
３３  カバー部
３３ａ  基端
３３ｂ  先端
３３ｃ  後端部
３３ｆ  側部フランジ
３４  弾性変形部（Ｕ字状板部）
３４ａ  基板部
３４ｂ  先板部
３４ｃ  摘み部
３４ｄ  突起
３５  環状パッキン（パッキン）
３７、３７Ｂ、３７Ｃ  コネクタ係止板
３７ｘ  二股部
３７ｙ  係止孔
３７ｚ  切欠き部
４０  コネクタ
４１  コード
４１ａ  付け根部
【国際調査報告】
2009119762.tif 000017
2009119762.tif 000018
2009119762.tif 000019
2009119762.tif 000020
2009119762.tif 000021
2009119762.tif 000022
2009119762.tif 000023
2009119762.tif 000024